(57)【特許請求の範囲】
【請求項１】
便座または便蓋を開閉駆動するためのヒンジピンが側面から突出して設けられた本体部と、前記ヒンジピンに支持された便座または便蓋と、を備えた便座装置において、
前記便座または便蓋の基端部に前記ヒンジピンの先端部を回転不能に保持するヒンジピン保持部を設け、前記ヒンジピンを前記ヒンジピン保持部に着脱するための開口部を当該ヒンジピン保持部の側面に設け、前記ヒンジピンの軸方向に往復移動させることにより前記開口部を開閉する保持体を前記ヒンジピン保持部に設けたことを特徴とする便座装置。
【請求項２】
便座を開閉駆動するための便座支持用のヒンジピンおよび便蓋を開閉駆動するための便蓋支持用のヒンジピンが左右両側面からそれぞれ突設された本体部と、前記便座支持用のヒンジピンに支持された便座と、前記便蓋支持用のヒンジピンに支持された便蓋と、を備えた便座装置において、
前記便座の一方の基端部に前記便座支持用のヒンジピンの先端部を回動不能に保持するためのヒンジピン保持部を設け、前記便座の他方の基端部に前記便蓋支持用のヒンジピンの軸部に回動可能に係合するヒンジピン受部を設け、
前記便蓋の一方の基端部に前記便座の基端部外面に回転可能に係合する受部を設け、前記便蓋の他方の基端部に前記便蓋支持用のヒンジピンの先端部を回転不能に保持するヒンジピン保持部を設け、
前記ヒンジピンを前記ヒンジピン保持部に着脱するための開口部を当該ヒンジピン保持部の側面に設け、前記ヒンジピンの軸方向に往復移動させることにより前記開口部を開閉する保持体を当該ヒンジピン保持部に設けたことを特徴とする便座装置。
【請求項３】
前記開口部を閉塞する方向へ前記保持体を付勢するための弾性体を設けたことを特徴とする請求項１または２記載の便座装置。
【請求項４】
前記ヒンジピンの先端部を前記ヒンジピン保持部に装着するとき、前記ヒンジピンの先端部との当接時に受ける押圧力より前記保持体を前記開口部の開放方向へ移動させるヒンジピン案内面を当該保持体に設けたことを特徴とする請求項１〜３のいずれかに記載の便座装置。
【請求項５】
前記保持体を前記ヒンジピンの軸方向に手動操作するための操作部を当該保持体に設けたことを特徴とする請求項１〜４のいずれかに記載の便座装置。
【請求項６】
前記便座または前記便蓋を略直立状態にしたとき、前記操作部がそれぞれ前記便座または前記便蓋の基端部の下方に露出して手動操作可能となるように配置した請求項５記載の便座装置。
【発明の詳細な説明】
【技術分野】
【０００１】
本発明は、洋式便器に設けられる便座、便蓋の開閉機構を備えた便座装置に関する。
【背景技術】
【０００２】
洋式便器の便座、便蓋の開閉機構を備えた便座装置については、従来、様々な方式のものが開発されているが、便座、便蓋の開閉動作の略中心となる基端部に、ヒンジピンを着脱可能に保持する保持部を設け、この保持部に、ヒンジピンを保持したり、解除したりするための回転式受け部を設けた便座装置がある（例えば、特許文献１参照。）。
【０００３】
【特許文献１】特開２００４−６５５４３号公報
【発明の開示】
【発明が解決しようとする課題】
【０００４】
特許文献１記載の「トイレ装置」において、装置本体から便座や便蓋を取り外すときには、便座や便蓋を直立させた状態とし、回転式受け部を回転させることによって係合を解除した後、装置本体から便座や便蓋を持ち上げると、ヒンジピンから便座や便蓋を抜き取ることができる。しかしながら、前述した回転式受け部は、便座・便蓋と装置本体との間の狭い隙間に設けられているため、回転式受け部を回転操作するのが極めて困難である。
【０００５】
また、便座・便蓋を装置本体に装着する際には、予め、回転式受け部を回転させて、ヒンジピンを保持部に係合させた後、回転式受け部を反対方向に回転させて元の状態に戻さなければ、便座・便蓋を確実に保持することができない。このため、ヒンジピンを保持部に係合させた後、前述した回転式受け部の反転操作を忘れると、便座や便蓋を手で開いたときに、便座や便蓋が外れてしまうことがある。
【０００６】
本発明が解決しようとする課題は、便座・便蓋の着脱作業を容易に行うことのできる便座装置を提供することにある。
【課題を解決するための手段】
【０００７】
本発明の便座装置は、便座または便蓋を開閉駆動するためのヒンジピンが側面から突出して設けられた本体部と、前記ヒンジピンに支持された便座または便蓋と、を備えた便座装置において、
前記便座または便蓋の基端部に前記ヒンジピンの先端部を回転不能に保持するヒンジピン保持部を設け、前記ヒンジピンを前記ヒンジピン保持部に着脱するための開口部を当該ヒンジピン保持部の側面に設け、前記ヒンジピンの軸方向に往復移動させることにより前記開口部を開閉する保持体を前記ヒンジピン保持部に設けたことを特徴とする。
【０００８】
このような構成とすれば、便座または便蓋の基端部に設けられたヒンジピン保持部は、保持体をヒンジピンの軸方向に往復移動させることによって、その側面にある開口部を開閉することが可能となるため、保持体を所定方向に移動させて開口部を開放状態にすれば、ヒンジピンをヒンジピン保持部に着脱することができる。また、ヒンジピンをヒンジピン保持部に保持した後、保持体を移動させて開口部を閉塞すればヒンジピンはヒンジピン保持部に確実に保持される。従って、便座または便蓋を開閉駆動するためのヒンジピンが側面から突出して設けられた本体部と、ヒンジピンに支持された便座または便蓋と、を備えた便座装置において、便座・便蓋の着脱作業を容易に行うことができるようになる。
【０００９】
一方、本発明の便座装置は、便座を開閉駆動するための便座支持用のヒンジピンおよび便蓋を開閉駆動するための便蓋支持用のヒンジピンが左右両側面からそれぞれ突設された本体部と、前記便座支持用のヒンジピンに支持された便座と、前記便蓋支持用のヒンジピンに支持された便蓋と、を備えた便座装置において、
前記便座の一方の基端部に前記便座支持用のヒンジピンの先端部を回動不能に保持するためのヒンジピン保持部を設け、前記便座の他方の基端部に前記便蓋支持用のヒンジピンの軸部に回動可能に係合するヒンジピン受部を設け、
前記便蓋の一方の基端部に前記便座の基端部外面に回転可能に係合する受部を設け、前記便蓋の他方の基端部に前記便蓋支持用のヒンジピンの先端部を回転不能に保持するヒンジピン保持部を設け、
前記ヒンジピンを前記ヒンジピン保持部に着脱するための開口部を当該ヒンジピン保持部の側面に設け、前記ヒンジピンの軸方向に往復移動させることにより前記開口部を開閉する保持体を当該ヒンジピン保持部に設けたことを特徴とする。
【００１０】
このような構成とすれば、便座を開閉駆動するための便座支持用のヒンジピンと、便蓋を開閉駆動するための便蓋支持用のヒンジピンとが左右両側面からそれぞれ突設された本体部と、前記便座支持用のヒンジピンに支持された便座と、前記便蓋支持用のヒンジピンに支持された便蓋と、を備えた便座装置において、前述と同様、便座・便蓋の着脱作業を容易に行うことができるようになる。
【００１１】
ここで、前記開口部を閉塞する方向へ前記保持体を付勢するための弾性体を設ければ、保持体は常に開口部を閉塞する方向へ付勢されるため、ヒンジピンをヒンジピン保持部に保持した後に開口部の閉塞を忘れるような事態が発生しなくなり、便座・便蓋を確実に保持することができるようになる。
【００１２】
この場合、前記ヒンジピンの先端部を前記ヒンジピン保持部に装着するとき、前記ヒンジピンの先端部との当接時に受ける押圧力より前記保持体を前記開口部の開放方向へ移動させるヒンジピン案内面を当該保持体に設けることが望ましい。このような構成とすれば、ヒンジピンをヒンジピン保持部に保持するとき、ヒンジピンの先端部をヒンジピン案内面に当接させ、摺動させていくだけで、保持体が開放方向へ移動して、開口部が開放されていくため、便座・便蓋の装着作業が容易となる。
【００１３】
また、前記保持体を前記ヒンジピンの軸方向に手動操作するための操作部を当該保持体に設ければ、操作部を手指などで操作して保持体をヒンジピンの軸方向に移動させることが可能となるため、便蓋・便座の着脱作業がさらに容易となる。
【００１４】
一方、前記便座または前記便蓋を略直立状態にしたとき、前記操作部がそれぞれ前記便座または前記便蓋の基端部の下方に露出して手動操作可能となるように配置すれば、操作部は、便座・便蓋が倒伏状態にあるときは目立たず、便座・便蓋を取り外したいときは、便座または便蓋を略直立状態にするだけで、操作しやすい位置に来るようになるため、操作性が向上する。
【発明の効果】
【００１５】
本発明により、便座・便蓋の着脱作業を容易に行うことのできる便座装置を提供することができる。
【発明を実施するための最良の形態】
【００１６】
以下、図面に基づいて本発明の実施の形態について説明する。図１は本発明の実施の形態である便座装置を示す斜視図、図２は図１のＡ−Ａ線における便座・便蓋を開いた状態を示す一部省略断面図、図３はヒンジピン保持部の開口部が開放した状態を示す断面図、図４は図１に示す便座装置を構成するヒンジピン保持部の斜視図、図５は図４に示すヒンジピン保持部の分解斜視図である。
【００１７】
図１，図２に示すように、本実施形態の便座装置１０は、洋式便器１７の後部上面に設置される本体部１０ａと、本体部１０ａの正面側に倒伏・起立可能に取り付けられた便座１１および便蓋１２とを備えている。本体部１０ａの右側面には、便座１１を開閉駆動するための便座支持用のヒンジピン１４Ｒが突設され、本体部１０ａの左側面には便蓋１２を開閉駆動するための便蓋支持用のヒンジピン１４Ｌが突設されている。ヒンジピン１４Ｒは本体部１０ａの右側の駆動機構収納部１３ａから突出した状態に設けられ、ヒンジピン１４Ｌは本体部１０ａの左側の駆動機構収納部１３ｂから突出した状態に設けられ、いずれのヒンジピン１４Ｌ，１４ＲもＴ字形状の先端部１４ａを有している。
【００１８】
便座１１の左側の基端部１１ｂには、便座支持用のヒンジピン１４Ｌの先端部１４ａを回動不能に保持するためのヒンジピン保持部１５Ｌが設けられ、便座１１の右側の基端部１１ａには、便蓋支持用のヒンジピン１４Ｒの軸部に回動可能に係合するヒンジピン受部１１ｄが設けられている。また、便蓋１２の左側の基端部１２ｂには、便座１１の左側の基端部１１ｂの左端部に突設された円形突起部１１ｃの外面に回転可能に係合する受部１２ｄが設けられ、便蓋１２の右側の基端部１２ａには、便蓋支持用のヒンジピン１４Ｒの先端部１４ａを回転不能に保持するヒンジピン保持部１５Ｒが設けられている。
【００１９】
さらに、左右のヒンジピン１４Ｌ，１４Ｒを、それぞれヒンジピン保持部１５Ｌ，１５Ｒの収容部１５ｆに着脱するための開口部１５ｐが、当該ヒンジピン保持部１５Ｌ，１５Ｒの側面に設けられ、ヒンジピン１４Ｌ，１４Ｒの軸方向に往復移動させることにより、それぞれの開口部１５ｐを開閉するための保持体１５ａが当該ヒンジピン保持部１５Ｌ，１５Ｒに設けられている。即ち、図３に示すように、ヒンジピン保持部１５Ｒにおいて手動操作により保持体１５ａを矢印方向に移動させると開口部１５ｐが開き、手を離すと、後述するコイルバネ１５ｂの復元力により保持体１５ａは元の位置に戻って開口部１５ｐが閉塞される。なお、図３はヒンジピン保持部１５Ｒを示しているが、ヒンジピン保持部１５Ｌも同じ構造、機能を有している。
【００２０】
ここで、図４，図５を参照して、ヒンジピン保持部１５Ｌ，１５Ｒの構造、機能などについて説明する。なお、ヒンジピン保持部１５Ｌ，１５Ｒは左右対称をなすように配置されているが、前述したように、互いに同じ構造、機能を有している。
【００２１】
図４に示すように、ヒンジピン保持部１５Ｌ，１５Ｒにおいては、その本体部１５ｉの正面側にヒンジピン１４Ｌ，１４Ｒの先端部１４ａを着脱可能に保持するための収容部１５ｆが設けられ、この収容部１５ｆと連通する状態で開口部１５ｐが開設されている。この収容部１５ｆは、ヒンジピン１４Ｌ，１４ＲのＴ字形状の先端部１４ａを回転不能に保持できる形状、大きさに形成されているので、ヒンジピン１４Ｌ，１４Ｒが回転するとヒンジピン保持部１５Ｌ，１５Ｒが従動する。また、開口部１５ｐの１８０度反対側には、ビス１６（図２参照）を介してヒンジピン保持部１５Ｌ，１５Ｒを基端部１１ｂ，１２ａに固定するためのビス取付部１５ｑが突設されている。ヒンジピン１４Ｌ，１４Ｒ（図２参照）の軸方向Ｄに往復移動させることにより開口部１５ｐを開閉する保持体１５ａが本体部１５ｉの下面側に配置されている。この状態において保持体１５ａの操作部１５ｈおよびヒンジピン１４Ｌ，１４Ｒの軸方向Ｄに対して傾斜させたヒンジピン案内面１５ｇは本体部１５ｉの下面側から露出している。
【００２２】
図５に示すように、ヒンジピン保持部１５Ｌ，１５Ｒの本体部１５ｉの背面側には、保持体１５ａの上部に設けられた一対の摺動部１５ｎを軸方向Ｄ（図２参照）にスライド可能に収容するために一対の摺動溝１５ｍが設けられ、保持体１５ａの背面側にはコイルバネ１５ｂを保持するための保持孔１５ｄが設けられ、保持体１５ａおよびコイルバネ１５ｂを本体部１５ｉに取り付けるための押さえ板１５ｃを備えている。保持体１５ａの摺動部１５ｎを本体部１５ｉの摺動溝１５ｍに差し込み、コイルバネ１５ｂの先端を保持孔１５ｄに挿入し、押さえ板１５ｃの正面側に設けられたバネ保持突起１５ｅをコイルバネ１５ｂの基端部に挿入するとともに、一対の係止用爪片１５ｊを本体部１５ｉ両側の係止部１５ｋにそれぞれ係合させるようにして、押さえ板１５ｃを本体部１５ｉに固定すれば、ヒンジピン保持部１５Ｌ，１５Ｒが形成される。
【００２３】
図２に示したように、ヒンジピン保持部１５Ｒは便蓋１２の基端部１２ｂ内に配置されるとともにビス取付部１５ｑから基端部１２ｂにビス１６を螺着することによって固定され、ヒンジピン保持部１５Ｌは便座１１の基端部１１ｂ内に配置されるとともにビス取付部１５ｑから基端部１１ｂにビス１６を螺着することによって固定されている。そして、便座装置１０の本体部１０ａの駆動機構収納部１３ａ，１３ｂに内蔵された駆動機構（図示せず）によって回転駆動されるヒンジピン１４Ｌ，１４Ｒにより、便座１１、便蓋１２をそれぞれ起立、倒伏するようになっている。
【００２４】
ここで、図６〜図９を参照して、便座装置１０の本体部１０ａから便蓋１２、便座１１を取り外す際の作業手順について説明する。図６，図７は、便座装置１０における便蓋１２の取り外し手順を示す斜視図であり、図８，図９は便座装置１０における便座１１の取り外し手順を示す斜視図である。
【００２５】
図６，図７に示すように、便蓋１２を垂直に立てた状態で右の手Ｈで支え、便蓋１２の基端部１２ａの下面にある操作部１５ｈを左の手Ｈで外側にスライドさせて開口部１５ｐを開き、その状態を保ったまま便蓋１２の基端部１２ａを引き上げると、基端部１２ａ内のヒンジピン保持部１５Ｒがヒンジピン１４Ｒの先端部１４ａから離脱する。この後、便蓋１２の基端部１２ｂを外側に移動させると、図２で示した便座１１の基端部１１ｂの円形突起部１１ｃから、基端部１２ｂの受部１２ｄが離脱するため、便蓋１２全体を取り外すことができる。
【００２６】
この後、図８に示すように、便座１１を垂直に立てた状態で左の手Ｈで支え、便座１１の基端部１１ｂの下面にある操作部１５ｈを右の手Ｈで外側にスライドさせて開口部１５ｐを開き、その状態を保ったまま、図９に示すように、便座１１の基端部１１ｂを引き上げると、基端部１１ｂ内のヒンジピン保持部１５Ｌがヒンジピン１４Ｌの先端部１４ａから離脱する。この後、便座１１の基端部１１ａを引き上げると、そのヒンジピン受部１１ｄがヒンジピン１４Ｒから離脱するので、基端部１１ａがヒンジピン１４Ｒから外れる。
【００２７】
次に、図１０〜図１３を参照して、便座装置１０の本体部１０ａに便座１１、便蓋１２を取り付ける際の作業手順について説明する。図１０，図１１は便座装置１０における便座１１の取り付け手順を示す斜視図であり、図１２，図１３は便座装置１０における便蓋１２の取り付け手順を示す斜視図である。
【００２８】
図１０に示すように、便座１１を左右の手Ｈで持ち、便座１１の基端部１１ａの下面側に開口するヒンジピン受部１１ｄ（図２参照）をヒンジピン１４Ｒの軸部に装着するとともに、便座１１の基端部１１ｂの下面から露出する保持体１５ａのヒンジピン案内面１５ｇをヒンジピン１４Ｌの先端部１４ａ上に乗せる。そして、図１１に示すように、便座１１を左右の手Ｈで支えたまま、便座１１を洋式便器１７の後部へ傾けながら下方へ押し込むと、ヒンジピン１４Ｌの先端部１４ａがヒンジピン案内面１５ｇ（図２参照）に沿って摺動しながらこれを押圧するため、保持体１５ａはコイルバネ１５ｂの付勢力に抗しながら外側へ移動して開口部１５ｐを開いていき、先端部１４ａが収容部１５ｆに収容された瞬間にコイルバネ１５ｂの付勢力によって元の位置に復帰する。このとき、便座１１の基端部１１ｂから「カチッ」という音がするので、便座１１の取り付けが完了したことが判る。
【００２９】
次に、図１２，図１３に示すように、便座１１を洋式便器１７上に倒伏させた後、便蓋１２の基端部１２ｂの受部１２ｄ（図２参照）を、便座１１の基端部１１ｂの円形突起部１１ｃに装着し、便蓋１２の基端部１２ａの下面から露出する保持体１５ａのヒンジピン案内面１５ｇ（図２参照）をヒンジピン１４Ｒの先端部１４ａ上に乗せる。そして、図１３に示すように、便蓋１２を左右の手Ｈで支えたまま、便蓋１２を下方へ押し込むと、前述と同様、ヒンジピン１４Ｒの先端部１４ａがヒンジピン案内面１５ｇ（図２参照）を摺動しながら押圧するため、保持体１５ａはコイルバネ１５ｂの付勢力に抗しながら外側へ移動して開口部１５ｐを開いていき、先端部１４ａが収容部１５ｆに収容された瞬間にコイルバネ１５ｂの付勢力により元の位置に復帰する。このとき、便蓋１２の基端部１２ａから「カチッ」という音がするので、便蓋１２の取り付けが完了したことが判る。
【００３０】
本実施形態の便座装置１０においては、便座１１の基端部１１ｂに設けられたヒンジピン保持部１５Ｌ、便座１２の基端部１２ａに設けられたヒンジピン保持部１５Ｒは、それぞれの保持体１５ａをヒンジピン１４Ｌ，１４Ｒの軸方向Ｄに往復移動させることによって、その側面にある開口部１５ｐを開閉可能である。従って、保持体１５ａを移動させて開口部１５ｐを開放すれば、ヒンジピン１４Ｌ，１４Ｒの先端部１４ａをそれぞれヒンジピン保持部１５Ｌ，１５Ｒから離脱させることができる。
【００３１】
また、ヒンジピン１４Ｌ，１４Ｒが、ヒンジピン１４Ｌ，１４Ｒの先端部１４ａで保持体１５ａを移動させてヒンジピン保持部１５Ｌ，１５Ｒに挿入・保持されると、コイルバネ１５ｂの復元力により保持体１５ａが自動的に復帰して開口部１５ｐが閉塞されるためヒンジピン１４Ｌ，１４Ｒはヒンジピン保持部１５Ｌ，１５Ｒに確実に保持される。このように、便座１１、便蓋１２を開閉駆動するためのヒンジピン１４Ｌ，１４Ｒがそれぞれ左右側面から突出して設けられた本体部１０ａと、ヒンジピン１４Ｌ，１４Ｒに支持された便座１１、便蓋１２と、を備えた便座装置１０において、便座１１・便蓋１２の着脱作業を容易に行うことができる。
【００３２】
また、ヒンジピン保持部１５Ｌ，１５Ｒにはそれぞれの開口部１５ｐを閉塞する方向へ保持体１５ａを付勢するための弾性体であるコイルバネ１５ｂを設けているため、保持体１５ａは常に開口部１５ｐを閉塞する方向へ付勢されている。従って、ヒンジピン１４Ｌ，１４Ｒをヒンジピン保持部１５Ｌ，１５Ｒに保持した後に開口部１５ｐの閉塞を忘れるような事態が発生せず、便座１１・便蓋１２を確実に保持することができる。
【００３３】
さらに、ヒンジピン１４Ｌ，１４Ｒの先端部１４ａをヒンジピン保持部１５Ｌ，１５Ｒに装着するとき、ヒンジピン１４Ｌ，１４Ｒの先端部１４ａとの当接時に受ける押圧力より保持体１５ａを開口部１５ｐの開放方向へ移動させるヒンジピン案内面１５ｇを当該保持体１５ａに設けている。このため、ヒンジピン１４Ｌ，１４Ｒをヒンジピン保持部１５Ｌ，１５Ｒに保持するとき、ヒンジピン１４Ｌ，１４Ｒの先端部１４ａをヒンジピン案内面１５ｇに当接させ、摺動させていくだけで、保持体１５ａが開放方向へ移動して、開口部１５ｐが開放されていくため、便座１１・便蓋１２の装着作業は極めて容易である。
【００３４】
また、保持体１５ａをヒンジピン１４Ｌ，１４Ｒの軸方向Ｄに手動操作するための操作部１５ｈを当該保持体１５ａの下方に設けているため、操作部１５ｈを手指などで操作して保持体１５ａをヒンジピン１４Ｌ，１４Ｒの軸方向Ｄに簡単に移動させることでき、便座１１・便蓋１２の着脱作業の容易化に有効である。
【００３５】
さらに、便座１１、便蓋１２を略直立状態にしたとき、便座１１の基端部１１ｂの下方および便蓋１２の基端部１２ａの下方に、それぞれの操作部１５ｈが露出して手動操作可能となるように配置されている。従って、操作部１５ｈは、便座１１・便蓋１２が倒伏状態にあるときは目立たず、便座１１・便蓋１２を取り外したいときは操作しやすい位置に来るようになるため、操作性も良好である。なお、便座１１及び便蓋１２の双方を開くと、それぞれの操作部１５ｈが下方に露出するので、左右の操作部１５ｈの操作を同時に行えば、便座１１及び便蓋１２を同時に取り外すことができる。また、同時に取り外した便座１１及び便蓋１２は、便座１１の円形突起部１１ｃと便蓋１２の受部１２ｄが係合しているだけなので、便座１１と便蓋１２は取り外し後にきわめて簡単に分離することができる。
【産業上の利用可能性】
【００３６】
本発明は、一般住宅や公共施設のトイレなどにおいて広く利用することができる。
【図面の簡単な説明】
【００３７】
【図１】本発明の実施の形態である便座装置を示す斜視図である。
【図２】図１のＡ−Ａ線における便座・便蓋を開いた状態を示す一部省略断面図である。
【図３】ヒンジピン保持部の開口部が開放した状態を示す断面図である。
【図４】図１に示す便座装置を構成するヒンジピン保持部の斜視図である。
【図５】図４に示すヒンジピン保持部の分解斜視図である。
【図６】図１に示す便座装置における便蓋の取り外し手順を示す斜視図である。
【図７】図１に示す便座装置における便蓋の取り外し手順を示す斜視図である。
【図８】図１に示す便座装置における便座の取り外し手順を示す斜視図である。
【図９】図１に示す便座装置における便座の取り外し手順を示す斜視図である。
【図１０】図１に示す便座装置における便座の取り付け手順を示す斜視図である。
【図１１】図１に示す便座装置における便座の取り付け手順を示す斜視図である。
【図１２】図１に示す便座装置における便蓋の取り付け手順を示す斜視図である。
【図１３】図１に示す便座装置における便蓋の取り付け手順を示す斜視図である。
【符号の説明】
【００３８】
１０  便座装置
１０ａ  本体部
１１  便座
１１ａ，１１ｂ，１２ａ，１２ｂ  基端部
１１ｃ  円形突起部
１１ｄ  ヒンジピン受部
１２  便蓋
１２ｄ  受部
１３ａ，１３ｂ  駆動機構収納部
１４Ｌ，１４Ｒ  ヒンジピン
１４ａ  先端部
１５Ｌ，１５Ｒ  ヒンジピン保持部
１５ａ  保持体
１５ｂ  コイルバネ
１５ｃ  押さえ板
１５ｄ  保持孔
１５ｅ  バネ保持突起
１５ｆ  収容部
１５ｇ  ヒンジピン案内面
１５ｈ  操作部
１５ｉ  本体部
１５ｊ  係止用爪片
１５ｋ  係止部
１５ｍ  摺動溝
１５ｎ  摺動部
１５ｐ  開口部
１５ｑ  ビス取付部
１６  ビス
Ｄ  軸方向
【図１】
0004619921.tif 000002
【図２】
0004619921.tif 000003
【図３】
0004619921.tif 000004
【図４】
0004619921.tif 000005
【図５】
0004619921.tif 000006
【図６】
0004619921.tif 000007
【図７】
0004619921.tif 000008
【図８】
0004619921.tif 000009
【図９】
0004619921.tif 000010
【図１０】
0004619921.tif 000011
【図１１】
0004619921.tif 000012
【図１２】
0004619921.tif 000013
【図１３】
0004619921.tif 000014